(57)【要約】【課題】  組合せ作業に便利で強固で安定性を有するフレキシブル回路板コネクタ。【解決手段】  絶縁本体に複数の端子溝を設け、絶縁本体両端に端挟持部を設け、端部挟持部の内側に凹室を設け、該凹室の後ろ上方に固定ブロックを凸設し、複数の端子を該絶縁本体の複数の端子溝に設け、該端子に上ガイドアームと下ガイドアームを設け、該上ガイドアーム前方に凹係止部を設け、下ガイドアームの前端に接続ガイド部を設け、緊迫カバーに軸接板を設け、該軸接板に位置決め軸を形成し、該位置決め軸の両端の端軸部を該凹室内に枢設し、二つの位置決め素子に位置決め嵌合部を設け、該位置決め嵌合部を該端挟持部の該凹室に嵌め込み、該位置決め嵌合部の上面に係止部を設け、該係止部を該固定ブロックに対向させて該係止部により該緊迫カバーの該端軸部を枢設、位置決めする。【選択図】        図４
0003136414.tif 000002
【実用新案登録請求の範囲】
【請求項１】
フレキシブル回路板コネクタにおいて、該フレキシブル回路板コネクタは、
絶縁本体であって、該絶縁本体に複数の端子溝を設け、絶縁本体両端に端挟持部を設け、端部挟持部の内側に凹室を設け、該凹室の後ろ上方に固定ブロックを凸設した、上記絶縁本体と、
複数の端子であって、該複数の端子は該絶縁本体の複数の端子溝に設け、該端子に上ガイドアームと下ガイドアームを設け、該上ガイドアーム前方に凹係止部を設け、下ガイドアームの前端に接続ガイド部を設けた、上記複数の端子と、
緊迫カバーであって、該緊迫カバーに軸接板を設け、該軸接板に位置決め軸と複数の活動溝を形成し、該位置決め軸の両端に端軸部を設け、該端軸部を該凹室内に枢設し、これら活動溝は端子と一対一で対応する、上記緊迫カバーと、
二つの位置決め素子であって、該位置決め素子に位置決め嵌合部を設け、該位置決め嵌合部を該端挟持部の該凹室に嵌め込み、該位置決め嵌合部の上面に係止部を設け、該係止部を該固定ブロックに対向させて該緊迫カバーの該端軸部を枢設、位置決めする、上記二つの位置決め素子、
を包含したことを特徴とする、フレキシブル回路板コネクタ。
【請求項２】
請求項１記載のフレキシブル回路板コネクタにおいて、該絶縁本体に更に該複数の端子溝を設置する基体部と溝板部を設け、該基体部の後方両端に、該位置決め素子を挿通させる位置決め溝を設けたことを特徴とする、フレキシブル回路板コネクタ。
【請求項３】
請求項２記載のフレキシブル回路板コネクタにおいて、該溝板部の両端に該端挟持部に対応するようにスペーサブロックを凸設し、該スペーサブロックと該端挟持部の該凹室間に嵌め置き空間を形成することを特徴とする、フレキシブル回路板コネクタ。
【請求項４】
請求項１記載のフレキシブル回路板コネクタにおいて、該凹室に下方の当接ブロックを凸設し、該固定ブロックはＬ形を呈する固定ブロックとすることを特徴とする、フレキシブル回路板コネクタ。
【請求項５】
請求項１記載のフレキシブル回路板コネクタにおいて、該凹室の前方に係止溝を設け、該緊迫カバーの前方両端に該係止溝に対応する円弧状の係止凸部を設けたことを特徴とする、フレキシブル回路板コネクタ。
【請求項６】
請求項１記載のフレキシブル回路板コネクタにおいて、該位置決め軸に該軸接板内部の内軸部を設け、該内軸部はこれら活動溝と間隔式に配置したことを特徴とする、フレキシブル回路板コネクタ。
【請求項７】
請求項１記載のフレキシブル回路板コネクタにおいて、該緊迫カバーの両端下方に凹部を設けたことを特徴とする、フレキシブル回路板コネクタ。
【請求項８】
請求項１記載のフレキシブル回路板コネクタにおいて、該位置決め素子は金属材とし、該位置決め嵌合部の前方底部を外向きに横向きに延伸して固定部を設けたことを特徴とする、フレキシブル回路板コネクタ。
【請求項９】
請求項２記載のフレキシブル回路板コネクタにおいて、該位置決め嵌合部の外側面に該位置決め溝と位置決め干渉を形成する凸部を設けたことを特徴とする、フレキシブル回路板コネクタ。
【請求項１０】
請求項８記載のフレキシブル回路板コネクタにおいて、該端挟持部下方に該固定部を収容するためのノッチを設けたことを特徴とする、フレキシブル回路板コネクタ。
【考案の詳細な説明】
【技術分野】
【０００１】
本考案は一種の電気コネクタに係り、特に、フレキシブル回路板と組み合わされてその端辺の電気信号の接続を行い、並びに連結が強固で組立が容易な機能を具備するフレキシブル回路板コネクタに関する。
【背景技術】
【０００２】
既存の電子製品の着脱自在な回路連結部分、或いは組み付け部品が同一平面上にない時、通常は、フレキシブル印刷回路板（Ｆｌｅｘｉｂｌｅ  Ｐｒｉｎｔｅｄ  Ｃｉｒｃｕｉｔ／ＦＰＣ）により連結が行われ、フレキシブル印刷回路板は配線密度が高く、軽量で、薄く、配線空間制限が少なく、適用度が高い等の長所を有するため、広くパーソナルコンピュータ及び周辺製品、通信製品、ディスプレイ及び消費性電子製品等の領域に応用されている。フレキシブル印刷回路板はその端辺に電気コネクタが接続され、電気信号の接続に便利とされる。周知の関係技術には特許文献１があり、この文献に記載のフレキシブル印刷回路板は、絶縁本体と緊迫カバーを包含し、該絶縁本体の両端の端挟持部の内側に導入溝と位置決め溝が設けられ、該緊迫カバーの両端に軸が凸設され、絶縁本体と緊迫カバーを組み合わせる時は、該絶縁本体の二つの端挟持部を外側に向けて開き、該緊迫カバーの両端の軸を該端挟持部の導入溝に進入させて位置決め溝部分に位置決めする。フレキシブル印刷回路板は該絶縁本体と該緊迫カバー間に挿入し、且つ該絶縁本体の複数の端子の上、下ガイドアームの間に挟み置き、さらに該緊迫カバーを回して下圧し、これら端子の上ガイドアームの円弧端部を該絶縁本体の端子溝前端に係止し、並びにフレキシブル印刷回路板とこれら端子の下ガイドアームの突き刺し部を接続し、こうしてフレキシブル印刷回路板と電気コネクタの電気的接続を完成する。
【０００３】
前述の周知のフレキシブル印刷回路板の電気コネクタは組立時に絶縁本体の両端挟持部を外側に向けて開く必要があり、ゆえにその組立操作が比較的面倒であり、且つ力の入れ方が妥当でないと、該端挟持部を損傷して欠陥品を形成する恐れがあり、理想的な設計ではなかった。さらに、該絶縁本体の二つの端挟持部は外向きに力を入れて開き該緊迫カバーの軸を進入させるが、該緊迫カバーが比較的大きな外力を受ける時（フレキシブル回路板の引っ張り力のような）、該絶縁本体の二つの端挟持部が押し広げられて該緊迫カバーが脱落することがあり、この欠点もまた、併せて改良する必要がある。これにより、いかにこのようなフレキシブル回路板コネクタの構造の連結強度及び安定度を改善し、且つその組立作業に便利とするかが、業界が解決、克服にむけて努力すべき方向である。
【０００４】
【特許文献１】米国特許第６，７９０，０７４Ｂ１号明細書
【考案の開示】
【考案が解決しようとする課題】
【０００５】
本考案の目的は、一種のフレキシブル回路板コネクタを提供することにあり、それは、電気コネクタの絶縁本体と緊迫カバーの組合せ作業に便利で、且つ全体の組合せが強固性と安定性を具備し、フレキシブル回路板コネクタの脱落を防止しその使用品質と寿命を確保できるものとする。
【０００６】
上述の目的を達成するために本考案が採用する技術手段は以下のとおりである。該フレキシブル回路板コネクタは以下のもの、即ち、絶縁本体であって、それに複数の端子溝を設け、絶縁本体両端に端挟持部を設け、端部挟持部の内側に凹室を設け、該凹室の後ろ上方に固定ブロックを凸設した、上記絶縁本体；複数の端子であって、該複数の端子は該絶縁本体の複数の端子溝に設け、該端子に上ガイドアームと下ガイドアームを設け、該上ガイドアーム前方に凹係止部を設け、下ガイドアームの前端に接続ガイド部を設けた、上記複数の端子；緊迫カバーであって、該緊迫カバーに軸接板を設け、該軸接板に位置決め軸を形成し、該位置決め軸の両端の端軸部を該凹室内に枢設する、上記緊迫カバー；二つの位置決め素子であって、該位置決め素子に位置決め嵌合部を設け、該位置決め嵌合部を該端挟持部の該凹室に嵌め込み、該位置決め嵌合部の上面に係止部を設け、該係止部を該固定ブロックに対向させてその間に該緊迫カバーの該端軸部を枢設、位置決めする、上記二つの位置決め素子、を包含する。
【課題を解決するための手段】
【０００７】
請求項１の考案は、フレキシブル回路板コネクタにおいて、該フレキシブル回路板コネクタは、
絶縁本体であって、該絶縁本体に複数の端子溝を設け、絶縁本体両端に端挟持部を設け、端部挟持部の内側に凹室を設け、該凹室の後ろ上方に固定ブロックを凸設した、上記絶縁本体と、
複数の端子であって、該複数の端子は該絶縁本体の複数の端子溝に設け、該端子に上ガイドアームと下ガイドアームを設け、該上ガイドアーム前方に凹係止部を設け、下ガイドアームの前端に接続ガイド部を設けた、上記複数の端子と、
緊迫カバーであって、該緊迫カバーに軸接板を設け、該軸接板に位置決め軸と複数の活動溝を形成し、該位置決め軸の両端に端軸部を設け、該端軸部を該凹室内に枢設し、これら活動溝は端子と一対一で対応する、上記緊迫カバーと、
二つの位置決め素子であって、該位置決め素子に位置決め嵌合部を設け、該位置決め嵌合部を該端挟持部の該凹室に嵌め込み、該位置決め嵌合部の上面に係止部を設け、該係止部を該固定ブロックに対向させて該緊迫カバーの該端軸部を枢設、位置決めする、上記二つの位置決め素子、
を包含したことを特徴とする、フレキシブル回路板コネクタとしている。
請求項２の考案は、請求項１記載のフレキシブル回路板コネクタにおいて、該絶縁本体に更に該複数の端子溝を設置する基体部と溝板部を設け、該基体部の後方両端に、該位置決め素子を挿通させる位置決め溝を設けたことを特徴とする、フレキシブル回路板コネクタとしている。
請求項３の考案は、請求項２記載のフレキシブル回路板コネクタにおいて、該溝板部の両端に該端挟持部に対応するようにスペーサブロックを凸設し、該スペーサブロックと該端挟持部の該凹室間に嵌め置き空間を形成することを特徴とする、フレキシブル回路板コネクタとしている。
請求項４の考案は、請求項１記載のフレキシブル回路板コネクタにおいて、該凹室に下方の当接ブロックを凸設し、該固定ブロックはＬ形を呈する固定ブロックとすることを特徴とする、フレキシブル回路板コネクタとしている。
請求項５の考案は、請求項１記載のフレキシブル回路板コネクタにおいて、該凹室の前方に係止溝を設け、該緊迫カバーの前方両端に該係止溝に対応する円弧状の係止凸部を設けたことを特徴とする、フレキシブル回路板コネクタとしている。
請求項６の考案は、請求項１記載のフレキシブル回路板コネクタにおいて、該位置決め軸に該軸接板内部の内軸部を設け、該内軸部はこれら活動溝と間隔式に配置したことを特徴とする、フレキシブル回路板コネクタとしている。
請求項７の考案は、請求項１記載のフレキシブル回路板コネクタにおいて、該緊迫カバーの両端下方に凹部を設けたことを特徴とする、フレキシブル回路板コネクタとしている。
請求項８の考案は、請求項１記載のフレキシブル回路板コネクタにおいて、該位置決め素子は金属材とし、該位置決め嵌合部の前方底部を外向きに横向きに延伸して固定部を設けたことを特徴とする、フレキシブル回路板コネクタとしている。
請求項９の考案は、請求項２記載のフレキシブル回路板コネクタにおいて、該位置決め嵌合部の外側面に該位置決め溝と位置決め干渉を形成する凸部を設けたことを特徴とする、フレキシブル回路板コネクタとしている。
請求項１０の考案は、請求項８記載のフレキシブル回路板コネクタにおいて、該端挟持部下方に該固定部を収容するためのノッチを設けたことを特徴とする、フレキシブル回路板コネクタとしている。
【考案の効果】
【０００８】
本考案のフレキシブル回路板コネクタは該位置決め素子の補助位置決めにより、該緊迫カバーの組立操作が簡単便利とされて効率的に行えるものとされ、且つその全体の組合せが強固性と安定性を具備し、フレキシブル回路板コネクタのゆるみ、脱落を防止しその使用品質と寿命を確保できる。
【考案を実施するための最良の形態】
【０００９】
図１に示されるように、本考案のフレキシブル回路板コネクタは、絶縁本体１０、複数の端子２０、緊迫カバー３０及び位置決め素子４０を包含する。該絶縁本体１０は基体部１１、溝板部１２及び両端の端挟持部１３を包含し、該基体部１１に複数の貫通する端子溝１１１が設けられ、該基体部１１の後方両端に位置決め溝１１２が設けられている（図５の如し）。該溝板部１２は該基体部１１より前向きに延伸形成され、並びに比較的低い板体面を呈し、該溝板部１２に複数の端子溝１２１が設けられ、該端子溝１２１は該基体部１１の端子溝１１１に対応し連通し、該溝板部１２の両端に該端挟持部１３に対応するようにスペーサブロック１２２が凸設されている。該端挟持部１３の内側に凹室１３１が設けられ、該凹室１３１に下方の当接ブロック１３２と後ろ上方のＬ形固定ブロック１３３が凸設され、該凹室１３１と該溝板部１２のスペーサブロック１２２の間に嵌め置き空間１３Ａが形成され、該嵌め置き空間１３Ａは該基体部１１後方の位置決め溝１１２に連通し、該凹室１３１の前方に係止溝１３４が設けられ、且つ該端挟持部１３の下方にノッチ１３５が設けられている。
【００１０】
該端子２０は上ガイドアーム２１、下ガイドアーム２２及び後端のソルダー端２３を包含する。該上ガイドアーム２１の前方に凹係止部２１１が設けられ、該下ガイドアーム２２の前端に凸刺状の接続ガイド部２２１が設けられている。該端子２０は該基体部１１の端子溝１１１の後方より挿入され、並びに該下ガイドアーム２２が前向きに延伸されて該端子溝１２１の位置に位置決めされ（図２の如し）、且つ該上ガイドアーム２１、下ガイドアーム２２の間にクランプ状の挟持空間２０Ａが形成されてフレキシブル回路板（図示せず）の挟持位置決めに用いられる。
【００１１】
該緊迫カバー３０の後方に軸接板３１が設けられ、該軸接板３１は該軸接板３１上の位置決め軸３２を形成するのに用いられ、該位置決め軸３２は該軸接板３１の両端より突出する端軸部３２１及び該軸接板３１内部の内軸部３２２を包含し、且つ該軸接板３１内側に複数の、該内軸部３２２と間隔式に配置された活動溝３１１が設けられ、さらに、該緊迫カバー３０の前方に両端が円弧状の係止凸部３３及び下方凹部３４が設けられる。
【００１２】
該位置決め素子４０は、縦向き面の位置決め嵌合部４１及び該位置決め嵌合部４１の前方底部が外向きに横向きに延伸されてなる固定部４２を包含し、該位置決め嵌合部４１のやや後方の上面に円弧凹状の係止部４３が設けられ、別に該位置決め嵌合部４１の外側面に凸部４４が設けられている。
【００１３】
図３も併せて参照されたい。該複数の端子２０が該絶縁本体１０に組み付けられた後、続いて該緊迫カバー３０が該絶縁本体１０に組み合わされ、即ち適当な角度で該緊迫カバー３０の両端の端軸部３２１が該絶縁本体１０の嵌め置き空間１３Ａ（凹室１３１）より挿入され、並びに該端軸部３２１が該Ｌ形固定ブロック１３３の下方に当接させられ（図８の如し）、且つ該内軸部３２２が該端子２０の上ガイドアーム２１の凹係止部２１１部分にはめ込まれる（図７の如し）。この時、該緊迫カバー３０の凹部３４は該スペーサブロック１２２上に跨設され、該緊迫カバー３０の上面が該絶縁本体１０の上面と整合させられる。最後に該位置決め素子４０の位置決め嵌合部４１が絶縁本体１０の嵌め置き空間１３Ａより挿入されて該位置決め溝１１２に位置決めされ（図４、５の如し）、そのうち、該位置決め嵌合部４１の凸部４４は該位置決め溝１１２と緊迫干渉を形成するのに用いられ、並びに該位置決め素子４０の係止部４３が該端軸部３２１の下方に当接させられ、このとき、該端軸部３２１は該固定ブロック１３３と係止部４３の間に枢設、位置決めされ、並びに回動操作の機能を具備し、該固定部４２は該絶縁本体１０のノッチ１３５に位置する。
【００１４】
本考案のフレキシブル回路板コネクタはそのフレキシブル回路板組み付け時に、まず該緊迫カバー３０が上向きに回して起こされ、さらに該フレキシブル回路板が該緊迫カバー３０と該絶縁本体１０の溝板部１２の間より挿入され、続いて該緊迫カバー３０が下圧され、並びに該フレキシブル回路板の内部導線と該端子２０の下ガイドアーム２２の接続ガイド部２２１が接続され、電気的接続を形成し、このとき、該緊迫カバー３０の外側の係止凸部３３は該端挟持部１３の凹室１３１の係止溝１３４に係止位置決めされ（図６の如し、位置決め及び係止提示効果を発生する。
【図面の簡単な説明】
【００１５】
【図１】本考案の分解図である。
【図２】本考案の端子組み付け状態表示図である。
【図３】本考案の緊迫カバーの組み付け状態表示図である。
【図４】本考案の位置決め素子の組み付け状態の前視立体図である。
【図５】本考案の位置決め素子の組み付け状態の後視立体図である。
【図６】本考案の平面図である。
【図７】図６のＡ−Ａ断面図である。
【図８】図６のＢ−Ｂ断面図である。
【符号の説明】
【００１６】
１０  絶縁本体              ２０  端子
３０  緊迫カバー            ４０  位置決め素子
１１  基体部                １２  溝板部
１３  端挟持部              １１１  端子溝
１１２  位置決め溝          １２１  端子溝
１２２  スペーサブロック    １３１  凹室
１３２  当接ブロック        １３３  固定ブロック
１３Ａ  嵌め置き空間        １３４  係止溝
１３５  ノッチ              ２１  上ガイドアーム
２２  下ガイドアーム        ２３  ソルダー端
２１１  凹係止部            ２２１  接続ガイド部
２０Ａ  挟持空間            ３１  軸接板
３２  位置決め軸            ３２１  端軸部
３２２  内軸部              ３１１  活動溝
３３  係止凸部              ３４  凹部
４１  位置決め嵌合部        ４２  固定部
４３  係止部                ４４  凸部
【図１】
0003136414.tif 000003
【図２】
0003136414.tif 000004
【図３】
0003136414.tif 000005
【図４】
0003136414.tif 000006
【図５】
0003136414.tif 000007
【図６】
0003136414.tif 000008
【図７】
0003136414.tif 000009
【図８】
0003136414.tif 000010